【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
第１の被写体を含む画像において、前記第１の被写体と関連する第２の被写体が含まれるかを判定する判定手段と、
前記判定手段において前記第１の被写体と関連する前記第２の被写体が含まれると判定された画像が、前記判定手段において前記第１の被写体と関連する前記第２の被写体が含まれないと判定された画像よりも優先的に選択されるように制御する選択手段と、
を有することを特徴とする画像処理装置。
【請求項２】
前記判定手段において前記第１の被写体を含む画像に前記第１の被写体と関連する前記第２の被写体が含まれると判定された場合、前記選択手段は、前記第１の被写体および前記第２の被写体に基づいて当該画像の得点を決定し、前記決定された得点に基づいて画像を選択することを特徴とする請求項１に記載の画像処理装置。
【請求項３】
前記選択手段は、前記第１の被写体と前記第２の被写体との画像内での距離に基づいて、前記判定手段において前記第１の被写体と関連する前記第２の被写体が含まれると判定された画像の得点を計算することを特徴とする請求項２に記載の画像処理装置。
【請求項４】
前記選択手段は、前記第１の被写体と前記第２の被写体とのそれぞれにおいて検出されたエッジ量に基づいて、前記判定手段において前記第１の被写体と関連する前記第２の被写体が含まれると判定された画像の得点を計算することを特徴とする請求項２に記載の画像処理装置。
【請求項５】
前記選択手段は、前記第１の被写体と前記第２の被写体の向きに基づいて、前記判定手段において前記第１の被写体と関連する前記第２の被写体が含まれると判定された画像の得点を計算することを特徴とする請求項２に記載の画像処理装置。
【請求項６】
前記選択手段が選択した画像を印刷領域にレイアウトするレイアウト手段をさらに有することを特徴とする請求項１から５のいずれか１項に記載の画像処理装置。
【請求項７】
前記選択手段が選択した画像をレイアウトして出力する出力手段をさらに有することを特徴とする請求項１から６のいずれか１項に記載の画像処理装置。
【請求項８】
人物以外のオブジェクトを優先する所定のモードがユーザの指示により設定された場合に、前記判定手段による判定処理が実行されることを特徴とする請求項１から７のいずれか１項に記載の画像処理装置。
【請求項９】
前記所定のモードは、ペット優先モードであることを特徴とする請求項８に記載の画像処理装置。
【請求項１０】
第１の被写体を含む画像において、前記第１の被写体と関連する第２の被写体が含まれるかを判定する判定工程と、
前記判定工程において前記第１の被写体と関連する前記第２の被写体が含まれると判定された画像が、前記判定工程において前記第１の被写体と関連する前記第２の被写体が含まれないと判定された画像よりも優先的に選択されるように制御する選択工程と、
を有することを特徴とする画像処理方法。
【請求項１１】
前記判定工程において前記第１の被写体を含む画像に前記第１の被写体と関連する前記第２の被写体が含まれると判定された場合、前記選択工程では、前記第１の被写体および前記第２の被写体に基づいて当該画像の得点が決定され、前記決定された得点に基づいて画像が選択されることを特徴とする請求項１０に記載の画像処理方法。
【請求項１２】
前記選択工程では、前記第１の被写体と前記第２の被写体との画像内での距離に基づいて、前記判定工程において前記第１の被写体と関連する前記第２の被写体が含まれると判定された画像の得点が決定されることを特徴とする請求項１１に記載の画像処理方法。
【請求項１３】
前記選択工程では、前記第１の被写体と前記第２の被写体とのそれぞれにおいて検出されたエッジ量に基づいて、前記判定工程において前記第１の被写体と関連する前記第２の被写体が含まれると判定された画像の得点が決定されることを特徴とする請求項１１に記載の画像処理方法。
【請求項１４】
前記選択工程では、前記第１の被写体と前記第２の被写体の向きに基づいて、前記判定工程において前記第１の被写体と関連する前記第２の被写体が含まれると判定された画像の得点が決定されることを特徴とする請求項１１に記載の画像処理方法。
【請求項１５】
前記選択工程において選択された画像を印刷領域にレイアウトするレイアウト工程をさらに含むことを特徴とする請求項１０から１４のいずれか１項に記載の画像処理方法。
【請求項１６】
前記選択工程において選択された画像をレイアウトして出力する出力工程をさらに含む、ことを特徴とする請求項１０から１５のいずれか１項に記載の画像処理方法。
【請求項１７】
人物以外のオブジェクトを優先する所定のモードがユーザの指示により設定された場合に、前記判定工程による判定処理が実行されることを特徴とする請求項１０から１６のいずれか１項に記載の画像処理方法。
【請求項１８】
前記所定のモードは、ペット優先モードであることを特徴とする請求項１７に記載の画像処理方法。
【請求項１９】
画像処理装置に備えられたコンピュータに、
第１の被写体を含む画像において、前記第１の被写体と関連する第２の被写体が含まれるかを判定する判定工程と、
前記判定工程において前記第１の被写体と関連する前記第２の被写体が含まれると判定された画像が、前記判定工程において前記第１の被写体と関連する前記第２の被写体が含まれないと判定された画像よりも優先的に選択されるように制御する選択工程と、
を実行させるためのプログラム。
【請求項２０】
前記判定工程において前記第１の被写体を含む画像に前記第１の被写体と関連する前記第２の被写体が含まれると判定された場合、前記選択工程では、前記第１の被写体および前記第２の被写体に基づいて当該画像の得点が決定され、前記決定された得点に基づいて画像が選択されることを特徴とする請求項１９に記載のプログラム。
【請求項２１】
前記コンピュータに、前記選択工程において選択された画像を印刷領域にレイアウトするレイアウト工程をさらに実行させることを特徴とする請求項１９又は２０に記載のプログラム。
【請求項２２】
前記コンピュータに、前記選択工程において選択された画像をレイアウトして出力する出力工程をさらに実行させることを特徴とする請求項１９から２１のいずれか１項に記載のプログラム。
【請求項２３】
人物以外のオブジェクトを優先する所定のモードがユーザの指示により設定された場合に、前記判定工程による判定処理が実行されることを特徴とする請求項１９から２２のいずれか１項に記載のプログラム。
【請求項２４】
前記所定のモードは、ペット優先モードであることを特徴とする請求項２３に記載のプログラム。
【手続補正２】
【補正対象書類名】明細書
【補正対象項目名】発明の名称
【補正方法】変更
【補正の内容】
【発明の名称】画像処理装置、画像処理方法、及びプログラム
【手続補正３】
【補正対象書類名】明細書
【補正対象項目名】０００７
【補正方法】変更
【補正の内容】
【０００７】
本発明の一態様に係る画像処理装置は、第１の被写体を含む画像において、前記第１の被写体と関連する第２の被写体が含まれるかを判定する判定手段と、前記判定手段において前記第１の被写体と関連する前記第２の被写体が含まれると判定された画像が、前記判定手段において前記第１の被写体と関連する前記第２の被写体が含まれないと判定された画像よりも優先的に選択されるように制御する選択手段と、を有する。